(57)【要約】  【課題】  複数の医用診断装置の電力量をより効率良く管理する。  【解決手段】  所定の容量の商用電源１と、商用電源１と接続される操作卓２、Ｘ線発生器３、テーブル４の複数の構成部を有するＸ線診断装置と、このＸ線診断装置と前記商用電源との間に接続され前記複数の構成部毎の電力を検出する電力検出器６〜８と、電力検出器６〜８からの電力を加算する使用電力量判断部９と、使用電力量判断部９により加算された加算電力を表示出力する電力量表示部１０とを備え、使用電力量判断部９は加算された加算電力が商用電力１の所定容量に対する限界値に達したときに警報信号を発生する。【選択図】      図１
2005245548.tif 000002
【特許請求の範囲】
【請求項１】
所定の容量の商用電源と、この商用電源と接続される操作卓を含む複数の構成部を有する医用診断装置と、この医用診断装置と前記商用電源との間に接続され前記複数の構成部毎の電力を検出する電力検出手段と、これらの電力検出手段からの電力を加算する加算手段と、この加算手段により加算された加算電力を表示出力する電力表示手段と、を備えた医用診断装置の電力量モニタシステムにおいて、前記加算手段に加算された加算電力が前記商用電力の所定容量に対する限界値に達したときに警報を発生する警報手段を備えたことを特徴とする医用診断装置の電力量モニタシステム。
【請求項２】
所定の容量の商用電源と、この商用電源と接続される複数の医用診断装置と、これらの医用診断装置と前記商用電源との間に接続され前記複数の医用診断装置毎の電力を検出する電力検出手段と、これらの電力検出手段からの電力を加算する加算手段と、この加算手段により加算された加算電力を表示出力する電力表示手段と、を備えた医用診断装置の電力量モニタシステムにおいて、前記加算手段に加算された加算電力が前記商用電力の所定容量に対する限界値に達したときに警報を発生する警報手段を備えたことを特徴とする医用診断装置の電力量モニタシステム。
【請求項３】
前記複数の電力検出手段のうちの少なくとも一つの電力検出手段は、その電力検出手段に接続される前記医用診断装置が非稼動状態であることを検出し、前記電力表示手段は前記電力検出手段に検出された非稼動状態の医用診断装置の電源をオフするメッセージを表示することを特徴とする請求項２に記載の医用診断装置の電力量モニタシステム。
【発明の詳細な説明】
【技術分野】
【０００１】
本発明は、X線診断装置やX線CT装置などの医用診断装置の電源を管理する医用診断装置の電力量モニタシステムに係り、特に医用診断装置の電力エネルギーを効率良く運用する技術に関するものである。
【背景技術】
【０００２】
近年、病院経営では、電力量などのエネルギーを効率良く運用する取組が重要視されている。
例えば、病院が複数台のX線診断装置やX線CT装置のX線医用診断装置を納入している場合、X線発生装置が個々に接続されている。このような場合、複数台のX線発生装置が動作すれば、そのピーク使用時に合せた容量の電源を用意しなければならず、省エネという観点から見れば、甚だ非効率的であった。
【０００３】
そこで、省エネのための効率化技術の例は、［特許文献1］に記載されている。その記載内容は、エネルギーの消費量を低減する省エネ効果のある省エネ支援機器について、機種リストに基づいて導入すべき機種および導入の時期についての情報を表示する機器導入支援部、省エネ支援機器を導入した後にエネルギーの消費量の実測値に基づいて省エネ効果の実績を求めて表示する省エネ効果管理部、省エネ効果の実績が所定よりも低い場合に省エネ効果を上げるための省エネ制御を行う省エネ制御部、導入した省エネ支援機器の設備費用の割賦支払いのために支払い額を所定の口座に入金させるための処理または指示を行う支払い処理部を有することで、エネルギー消費量の低減を支援するものである。
【特許文献１】特開2001-344412号公報
【発明の開示】
【発明が解決しようとする課題】
【０００４】
しかしながら、上記［特許文献1］は、省エネ支援機器を要するため、構成が複雑、高価になるなどの課題があった。
本発明の目的は、複数の医用診断装置の電力量をモニタし、そのモニタされたX線発生装置の電力量をより効率良く管理可能な医用診断装置の電力量モニタシステムを提供することにある。
【課題を解決するための手段】
【０００５】
上記目的を達成するために、本発明の医用診断装置の電力量モニタシステムは、所定の容量の商用電源と、この商用電源と接続される操作卓を含む複数の構成部を有する医用診断装置と、この医用診断装置と前記商用電源との間に接続され前記複数の構成部毎の電力を検出する電力検出手段と、これらの電力検出手段からの電力を加算する加算手段と、この加算手段により加算された加算電力を表示出力する電力表示手段と、を備えた医用診断装置の電力量モニタシステムにおいて、前記加算手段に加算された加算電力が前記商用電力の所定容量に対する限界値に達したときに警報を発生する警報手段を備えたことを特徴とするものである。
【０００６】
また、所定の容量の商用電源と、この商用電源と接続される複数の医用診断装置と、これらの医用診断装置と前記商用電源との間に接続され前記複数の医用診断装置毎の電力を検出する電力検出手段と、これらの電力検出手段からの電力を加算する加算手段と、この加算手段により加算された加算電力を表示出力する電力表示手段と、を備えた医用診断装置の電力量モニタシステムにおいて、前記加算手段に加算された加算電力が前記商用電力の所定容量に対する限界値に達したときに警報を発生する警報手段を備えたことを特徴とするものである。
【０００７】
また、前記複数の電力検出手段のうちの少なくとも一つの電力検出手段は、その電力検出手段に接続される前記医用診断装置が非稼動状態であることを検出し、前記電力表示手段は前記電力検出手段に検出された非稼動状態の医用診断装置の電源をオフするメッセージを表示することを特徴とするものである。
【発明の効果】
【０００８】
本発明によれば、複数の医用診断装置の電力量をより効率良く管理できる。
【発明を実施するための最良の形態】
【０００９】
（第１の実施形態）
本発明の医用診断装置の電力量モニタシステムの第1の実施形態について図1を用いて説明する。
商用電源1には電力検出器6，7，8が接続され、それぞれの電力検出器には、操作卓2，X線発生器3，テーブル4が接続されている。使用電力量判断部9は電力検出器6，7，8に接続され、電力量表示部10は使用電力量判断部9に接続されている。
【００１０】
商用電源１は電力会社に供給される電源である。電力検出器6，7，8は、電力を測定するもので、例えばデジタル出力可能な電力計である。また、ここでは、医用診断装置の例として、X線診断装置を例に挙げる。X線診断装置は、操作卓2，X線発生器3，テーブル4を有している。操作卓2はX線条件や画像の表示条件等を操作者の操作によって設定するものである。X線発生器3は操作卓2に設定されたX線条件によりX線を発生するものである。
テーブル4は被検者を乗せるものである。使用電力量判断部9は電力検出器6，7，8にて検出された電力量はそれぞれ使用電力量判断部9に入力され、それぞれの使用電力量を加算し、商用電力の容量との大小を判断し、その結果は電力量表示部10に入力され、その入力された電力量を表示する。
【００１１】
次に、図1の使用電力量判断部9の詳細について図2を用いて説明する。
使用電力量判断部9には、電力検出器6にて検出した操作卓電力量、電力検出器7にて検出したX線発生器電力量、検出器8にて検出したテーブル電力量、及び、使用限界値が入力される。ここで入力された各信号は比較部に入力され、それぞれの電力量が使用限界値と比較され、本実施例では使用限界値の90％に達した場合、使用限界に到達しつつあるとして、警告信号を電力量表示部10に出力する。また、入力された各電力量は電力量表示部10に出力される。
【００１２】
次に、図1の電力量表示部10の詳細について図3を用いて説明する。
電力量表示部10は使用電力量判断部9から入力された警告信号とそれぞれの使用電力量を表示する部分である。それぞれの使用電力量は縦軸が使用電力量、横軸が経過時間としての折れ線グラフとして逐次表示される。また、使用電力量が使用限界値の90％に達すると、使用電力大部分が強調され、現在使用中のどの部分が使用電力限界値に達しつつあるのかを表示し、操作者に警告を促す。
【００１３】
（第２の実施形態）
本発明の医用診断装置の電力量モニタシステムの第2の実施形態について図4を用いて説明する。
商用電源1には電力検出器6が接続され、電力検出器6には、操作卓2，X線発生器3，テーブル4が接続されている。電力検出器6にて検出された電力量は使用電力量判断部9に入力され、それぞれの使用電力量の大小を判断し、その結果は電力量表示部10に入力され、表示される。
【００１４】
次に、図4の使用電力量判断部9の詳細について図5を用いて説明する。
使用電力量判断部9には、電力検出器6にて検出した操作卓電力量、X線発生器電力量、テーブル電力量、及び、使用限界値が入力される。ここで入力された各信号は比較部に入力され、電力量は使用限界値と比較され、本実施例では使用限界値の90％に達した場合、使用限界に到達しつつあるとして、警告信号を電力量表示部10に出力する。また、入力された各電力量は電力量表示部10に出力される。
【００１５】
次に、図4の電力量表示部10の詳細について図6を用いて説明する。
電力量表示部10は使用電力量判断部9から入力された警告信号とそれぞれの使用電力量を表示する部分である。使用電力量は縦軸が使用電力量，横軸が経過時間としての折れ線グラフとして逐次表示される。また、使用電力量が使用限界値の90％に達すると、使用電力大部分が強調され、使用電力限界値に達しつつあるのかを表示し、操作者に警告を促す。
【００１６】
（第３の実施形態）
本発明の医用診断装置の電力量モニタシステムの第3の実施形態について図7を用いて説明する。
X線室1，X線室2，X線室3，及びX線室4で使用された電力量は電力モニタ集中管理室15にて送られ、それぞれの表示部にて使用電力量が表示される。各X線室の使用電力量を同時にモニタすることで、使用電力量の大きなX線室、少ないX線室を把握することができる。
また、前記複数の電力検出手段のうちの少なくとも一つの電力検出器は、その電力検出器に接続されるX線室のX線診断装置が非稼動状態であることを検出し、電力表示モニタは電力検出器に検出された非稼動状態の医用診断装置の電源のオフを推奨するメッセージを表示する。
【００１７】
（第４の実施形態）
本発明の医用診断装置の電力量モニタシステムの第4の実施形態について図8を用いて説明する。
X線室1，X線室2，X線室3，及びX線室4にてどのような検査が実施されるかを前もって検査計画集中管理室20に送られる。その結果は検査計画表21に表示される。検査計画21は縦軸を経過時間，横軸をそれぞれのX線室での使用予想電力量が棒グラフにて表示され、集中している時間帯を把握することができる。
これにより、使用予想電力量が集中している時間帯のうち、検査時間が変更可能な場合は検査時間を変更することで、使用電力の平準化を図ることが可能となる。
【００１８】
また、各実施形態では、医用診断装置にX線診断装置を例に挙げたが、X線CT装置、MRI装置、超音波装置などの医用診断装置であってもよい。
【図面の簡単な説明】
【００１９】
【図１】本発明の第1の実施形態の説明図。
【図２】図1の使用電力量判断部の詳細を示す図。
【図３】図1の使用電力量表示部の詳細を示す図。
【図４】本発明の第2の実施形態を示す図。
【図５】図4の使用電力量判断部の詳細を示す図。
【図６】図4の使用電力量表示部の詳細を示す図。
【図７】本発明の第3の実施形態を示す図。
【図８】本発明の第4の実施形態を示す図。
【符号の説明】
【００２０】
１…商用電源、２…操作卓、３…X線発生器、４…テーブル、５…電力モニタ装置、６…電力検出器、７…電力検出器、８…電力検出器、９…使用電力量判断部、１０…電力量表示部、１１…X線室1、１２…X線室2、１３…X線室3、１４…X線室4、１５…電力モニタ集中管理室、１６…X線室１使用電力量表示部、１７…X線室2使用電力量表示部、１８…X線室3使用電力量表示部、１９…X線室4使用電力量表示部、２０…検査計画集中管理室、２１…検査計画使用電力量表示部
【図１】
2005245548.tif 000003
【図２】
2005245548.tif 000004
【図３】
2005245548.tif 000005
【図４】
2005245548.tif 000006
【図５】
2005245548.tif 000007
【図６】
2005245548.tif 000008
【図７】
2005245548.tif 000009
【図８】
2005245548.tif 000010